(57)【要約】【課題】物品貯蔵室の手前側に貯蔵した物品の取り出しを合理的に行えるようにした物品貯蔵庫を提供する。【解決手段】物品貯蔵庫１００は引出型の貯蔵室８１Ｂに物品をそのまま貯蔵または冷却もしくは加温して貯蔵する。貯蔵室８１Ｂの前蓋部分８１Ｂ１を前傾開き動作が可能な扉８１Ｂｘで構成する。前傾開き動作の操作部分ｗ１を扉８１Ｂｘに設けたハンドル８１ｇ２に配置する。扉８１Ｂｘの背面の下方側に支点ｐ１をその上方にロック機構８１Ｋを配置する。操作部分ｗ１によりロック機構８１Ｋのロックを解除して前傾開き動作を行わせる。前傾開き動作によって開扉される距離Ｌ１よりも小さい奥行Ｄ３の小箱８１ｂ２を扉８１Ｂｘの背面に設ける。操作部分ｗ１をハンドル８１ｇ２の左右中央位置ｓ１に配置する。ロック機構８１Ｋのロックの解除を解除構成によって行うなどにより手前側に貯蔵した物品の取り出しを合理的に行えるようにする。【選択図】        図１
2004323043.tif 000002
【特許請求の範囲】
【請求項１】
物品を貯蔵するための引出型の貯蔵室を有する物品貯蔵庫であって、
前記貯蔵室の前蓋部分を前傾開き動作が可能な扉で構成するとともに、前記前傾開き動作の操作部分を前記扉に設けたハンドルに配置する前傾開き操作手段
を具備することを特徴とする物品貯蔵庫。
【請求項２】
物品を貯蔵するための引出型の貯蔵室を有する物品貯蔵庫であって、
前記貯蔵室の前蓋部分を前傾開き動作が可能な扉で構成するとともに、前記前傾開き動作の操作部分を前記扉に設けたハンドルに配置する前傾開き操作手段と、
前記扉の背面の下方側に支点を配置するとともに、前記支点よりも上方に配置したロック機構のロックを前記操作部分により解除して前記前傾開き動作を行わせる前傾ロック解除手段と
を具備することを特徴とする物品貯蔵庫。
【請求項３】
前記前傾開き動作によって開扉される距離よりも小さい奥行の小箱を前記扉の背面側に設けたことを特徴とする請求項１または請求項２記載の物品貯蔵庫。
【請求項４】
前記操作部分を前記ハンドルの左右中央位置に配置したことを特徴とする請求項１から請求項３のいずれかに記載の物品貯蔵庫。
【請求項５】
前記ロックの解除を機械的な解除構成または電気的な解除構成によって行うことを特徴とする請求項１から請求項４のいずれかに記載の物品貯蔵庫。
【発明の詳細な説明】
【０００１】
【発明の属する技術分野】
この発明は、物品を貯蔵するための引出型の貯蔵室を有する物品貯蔵庫に関するものである。なお、この発明において、物品貯蔵庫とは、物品をそのまま貯蔵する貯蔵室、または、物品を冷却もしくは加温して貯蔵する貯蔵室を有する貯蔵庫などの総称である。
【０００２】
また、上記の冷却には、冷却対象とする物品を凍結させない状態の所定の温度に冷却する構成、すなわち、一般に冷蔵と言われるものと、冷却対象とする物品を凍結させるように冷却する構成、すなわち、一般に冷凍と言われるものと、後者の凍結を不完全な冷凍状態に冷却する構成、すなわち、弱冷凍と言われるものとがある。
【０００３】
そして、この発明では、これらの冷却のうちの１つの冷却、または、これらのうちの任意の複数の冷却を組み合わせた冷却を総称して冷却というのである。したがって、これらの冷蔵・冷凍・弱冷凍の構成のうちの１つの構成、または、これらのうちの任意の複数の構成を組み合わせた構成をもつ冷却庫は、物品貯蔵庫の一種に属することになるものである。
【０００４】
【従来の技術】
こうした物品貯蔵庫の物品貯蔵庫の構成として、図５・図６のような冷却機能をもつ物品貯蔵庫１００の構成（以下、第１従来技術という）が周知である。なお、以下に説明する各図において、同一の符号で示す部分は、いずれかの図によって説明する同一符号の部分と同一の機能をもつ部分である。
【０００５】
図５・図６において、物品貯蔵庫１００は、本体９０、すなわち、断熱外箱と適宜に設けられた各仕切壁部分９１Ａ・９１・９２Ａによって仕切られた複数の貯蔵室８１Ａ・８１Ｂ・８２Ａ・８２Ｂによって構成されている。
【０００６】
貯蔵室８１Ａには、比較的に取出頻度の多い飲物・加工食品などの物品を冷蔵による冷却を行ないながら貯蔵する。貯蔵室８１Ｂには、比較的に取出頻度の少ない野菜類などの物品を冷蔵による冷却を行いながら貯蔵する。貯蔵室８２Ａには、刺身用魚肉類などを弱冷凍による冷却を行いながら貯蔵する。貯蔵室８２Ｂには、冷凍食品類などを冷凍を行いながら貯蔵する。
【０００７】
また、物品の出し入れは、貯蔵室８１Ａは前側の開閉扉８１Ａ１を開閉して行い、貯蔵室８１Ｂは前蓋８１Ｂ１とともに引き出せる引出によって行い、貯蔵室８２Ａは前蓋８２Ａ１とともに引き出せる引出によって行い、貯蔵室８２Ｂは前蓋８２Ｂ１とともに引き出せる引出によって行う。なお、本体９０・各仕切壁部分９１Ａ・９１・９２Ａ・開閉扉８１Ａ１・前蓋８１Ｂ１・前蓋８２Ａ１・前蓋８２Ｂ１などの断熱を要する部分は外面側を薄い鋼板で形成するとともに、内部に断熱材、例えば、発泡ポリウレタンなどを充填している。なお、必要に応じて、室内に面する内面側を合成樹脂材で構成している。
【０００８】
各貯蔵室８１Ａ・８１Ｂ・８２Ａ・８２Ｂの内部は、例えば、図８のように、種々の引出箱や棚を設けて構成してあり、各内部は、例えば、圧縮冷媒による冷凍サイクルによって冷却している。
【０００９】
この冷却は、貯蔵室８１Ａ・８１Ｂ内の空気は、冷却器２１、例えば、圧縮冷媒の蒸発器により冷却された後に送風機６１により加勢されて、実線で示す各流路を通って貯蔵している物品を冷却し、点線で示す流路を通って冷却器２１に戻るという循環を繰り返す。
【００１０】
また、貯蔵室８２Ａ・８２Ｂ内の空気は、冷却器２２、例えば、圧縮冷媒の蒸発器により冷却された後に送風機６２により加勢されて、実線で示す各流路を通って貯蔵している物品を冷却し、点線で示す流路を通って冷却器２２に戻るという循環を繰り返す。
【００１１】
そして、各貯蔵室８１Ａ・８１Ｂ・８２Ａ・８２Ｂには、図５・図６の各〔グリップハンドル型〕のように、ハンドルを手で握って操作できるようにした構造のグリップハンドル８１ｇ１・８１ｇ２・８２ｇ１・８２ｇ２を設けた構成のものと、図５・図７の〔引っ掛けハンドル型〕のように、ハンドルに手先のみを入れて操作できるようにした構造の引っ掛けハンドル８１ｈ１・８１ｈ２・８２ｈ１・８２ｈ２を設けた構成のものとが周知である。
【００１２】
なお、グリップハンドルは把手とも呼ばれ、また、引っ掛けハンドルは引手とも呼ばれている。なお、この発明において、ハンドルとは、上記のグリップハンドル・引っ掛けハンドルのほか、他の形式のハンドル、例えば、キノコ形のハンドルなどを含むハンドルの総称をいうものである。
【００１３】
ここで、この発明における引出型の貯蔵室とは、例えば、上記の貯蔵室のうちの物品の出し入れを引出によって行うようにした各貯蔵室８１Ｂ・８２Ａ・８２Ｂような貯蔵室をいい、物品貯蔵庫とは、そうした貯蔵室を１つまたは複数設けたもの、または、そうした貯蔵室と、他の開閉構造、例えば、貯蔵室８１Ａのような扉による開閉構造をもつものとを併設したものをいうものである。
【００１４】
そして、引出型の各貯蔵室８１Ｂ・８２Ａ・８２Ｂの引き出しと入れ込みの動作は、例えば、貯蔵室８１Ｂを例にして説明すると、図８のように、本体９０の側面側の壁部９０Ａの内側にレール溝Ｒ１とローラＲ２とを設けておき、前蓋８１Ｂ２の引き出し操作によって引き出される引出部分ＤＷ１に設けたレールＲ３の下縁をローラＲ２の上に乗せて案内するとともに、引出部分ＤＷ１に設けたローラＲ４をレール溝Ｒ１に入れ込んで案内するように構成している。他の各貯蔵室８２Ａ・８２Ｂも、ほぼ同様の構成により、引き出しと入れ込みとが行えるように構成している。
【００１５】
上記の第１従来技術の構成による引出型の貯蔵室、例えば、貯蔵室８１Ｂを例にして説明すると、貯蔵室８１Ｂの中の前側の部分に物品を出し入れする際にも、図８のように、引出部分を半引き出し状態に引出さなければならないので、冷却機能をもつ貯蔵室の場合には、引き出した部分から外気が入り込んで、内部を加温し、加温機能をもつ貯蔵室の場合には、逆に冷却されてしまうという不都合が生ずる。なお、他の貯蔵室８２Ａ・８２Ｂにも、同様のことが生ずる。
【００１６】
また、物品をそのまま貯蔵する貯蔵室の場合には、小物の物品と大物の物品とが１つの引出箱の中に入れ込まれるので、小物の物品が大物の物品にまぎれ込んでしまうという不都合が生ずる。
【００１７】
このため、図９のように、例えば、貯蔵室８１Ｂの中に、手前側には奥行Ｄ１の小さい小箱８１ｂ１を、また、奥側には奥行Ｄ２の大きい大箱８１ｂ２を配置した構成の貯蔵室をもつ貯蔵庫の構成（以下、第２従来技術という）が提案されている。なお、冷却機能をもつ貯蔵庫の場合には、小箱８１ｂ１にペットボトル入りの飲料などを入れる場合もある。
【００１８】
【特許文献１】
特開２００１−２８０７９０号公報
特許文献１は第１従来技術を開示している。
【特許文献２】
特開２００２−１５６１８３号公報
特許文献２は第２従来技術を開示している。
【非特許文献１】
１９９５年１２月本願出願人三洋電機株式会社発行「冷凍冷蔵庫ＳＲ−４５ＳＫサービス技術資料」
非特許文献１は第１従来技術を開示している。
【００１９】
【発明が解決しようとする課題】
上記の第２従来技術による物品貯蔵庫１００でも、図９の〔半引き出し状態〕にして手前側のものを取り出すためには、小箱８１ｂ１の奥行Ｄ１の分だけは引き出さなければならないので、冷却機能・加温機能をもつ貯蔵室の場合には、引き出した奥行Ｄ１の下方から上方に通り抜ける外気によって加温・冷却を奪われてしまうという不都合がある。
【００２０】
また、物品をそのまま貯蔵する貯蔵室の場合には、小物の物品だけを出し入れしたい場合でも、重い大物の入った大箱８１ｂ２をも一緒に引き出さなければならないので、その都度、重い引出の引き出しや入れ込み操作をしなければならないという不都合がある。
このため、これらの不都合をなくした物品貯蔵庫の提供が望まれているという課題がある。
【００２１】
【課題を解決するための手段】
この発明は、上記のような物品を貯蔵するための引出型の貯蔵室、例えば、貯蔵室８１Ｂを有する物品貯蔵庫１００において、次の構成を設けることにより上記の課題を解決したものである。
【００２２】
そして、第１の構成は、
上記の貯蔵室の前蓋部分を前傾開き動作が可能な扉で構成するとともに、上記の前傾開き動作の操作部分を上記の扉に設けたハンドルに配置する前傾開き操作手段を設けて構成したものである。
【００２３】
第２の構成は、上記の第１の構成に加えて、
上記の扉の背面の下方側に支点を配置するとともに、この支点よりも上方に配置したロック機構のロックを上記の操作部分により解除して上記の前傾開き動作を行わせる前傾ロック解除手段を設けて構成したものである。
【００２４】
第３の構成は、上記の第１の構成・第２の構成において、
上記の前傾開き動作によって開扉される距離よりも小さい奥行の小箱を上記の扉の背面に設けて構成したものである。
【００２５】
第４の構成は、上記の第１の構成〜第３の構成において、
上記の操作部分を上記のハンドルの左右中央位置に配置して構成したものである。
【００２６】
第５の構成は、上記の第１の構成〜第４の構成において、
上記のロックの解除を機械的な解除構成または電気的な解除構成によって行う構成を設けて構成したものである。
【００２７】
【発明の実施の形態】
この発明の実施の形態として、この発明を上記の第１従来技術の構成に適用した実施例を説明する。
【００２８】
【実施例】
〔第１実施例〕
以下、図１・図２により第１実施例を説明する。この第１実施例の構成が上記の第１従来技術の構成と異なる箇所は次の箇所である。
【００２９】
第１には、冷蔵室８１Ｂの引出の前蓋８１Ｂ１の部分を、図１のように、背面の下方側を支点ｐ１として、矢印ｍ１のように、上方が前側に傾くようにして開く（この発明において、「前傾開き」という）動作が可能な扉８１Ｂｘにして構成した箇所である。
【００３０】
第２には、支点ｐ１よりも上方にロック機構８１Ｋを扉８１Ｂｘの両脇に、左右対称にして、配置するとともに、グリップハンドル８１ｇ２にロック機構８１Ｋのロックを解除するための操作部分ｗ１をグリップハンドル８１ｇ２に配置した箇所である。
【００３１】
なお、ハンドルが引っ掛けハンドル８１ｈ２の場合には、図７の〔引っ掛けハンドル型〕における前蓋部分８１Ｂ１を上記の扉８１Ｂｘと同様に構成して、その引っ掛けハンドル８１ｈ２に上記の操作部分ｗ１を配置することになるものである。
【００３２】
ここで、ロック機構８１Ｋは、例えば、図２のように、扉８１Ｂｘの背面側に設けた掛け爪Ｋ１と、引出部分ＤＷ１を案内するレールＲ３から張り出させた張出部分Ｕ１に設けた掛け穴Ｋ２とで構成してある。
【００３３】
そして、掛け爪Ｋ１を掛け穴Ｋ２に入れ込んで引っ掛けることにり、扉８１Ｂｘを閉じる際の姿勢、すなわち、図２の〔閉じ状態〕のように、角度θ１を０°にした状態に保持するようにロックを行うものである。
【００３４】
また、こうしたロック機構８１Ｋのロックを解除するための操作部分ｗ１は、後記のように、機械的または電気的な解除構成によって、掛け爪Ｋ１を扉８１Ｂｘの中心側に引いて、掛け穴Ｋ２から引き抜く操作を行わせるように構成してある。つまり、ロックを解除することによって、扉８１Ｂｘが角度θ１の前傾開き動作を行えるわけである。
【００３５】
そして、こうした前傾開き状態から、扉８１Ｂｘを前傾開き状態から前傾開きを閉じる動作、すなわち、角度θ１を０°になるように回転する動作を行うと、掛け爪Ｋ１の背面側の傾斜面Ｋ１ａが掛け穴Ｋ２の外郭部分Ｋ２ａの抵抗力によって押し込められた後に掛け穴Ｋ２に入れ込まれて前傾開きを閉じた状態に保持されることになる。
【００３６】
なお、操作部分ｗ１の配置位置は、好適には、グリップハンドル８１ｇ２または引っ掛けハンドル８２１ｈ２の左右中央位置ｓ１に設けて、左右いずれからでも操作を行い易くするのがよい。ここで、左右中央位置ｓ１とは、貯蔵庫１００の幅Ｂ１の中心付近の位置をいうものである。
【００３７】
第３には、倒れ止め機構８１Ｔを扉８１Ｂｘの両脇に、左右対称にして配置することにより、ロック機構８１Ｋのロックの解除によって、扉８１Ｂｘが前傾開き動作できる限度の角度θ１を規定づけている箇所である。
【００３８】
ここで、倒れ止め機構８１は、例えば、図２の〔ニ−ニ横断平面〕のように、扉８１Ｂｘ側に設けた移動側の制止部分Ｔ１を、引出部分ＤＷ１側に設けた静止側の制止部分Ｔ２で受け止めるように構成してある。
【００３９】
そして、制止部分Ｔ１は、内側に向けてＬ字形に形成した部分を硬質の材料、例えば、鋼板で構成して扉８１Ｂｘから背面側に張り出した張出部分Ｕ３に設けてある。
【００４０】
また、制止部分Ｔ２は、外側に向けてＬ字形に形成した部分を硬質の材料、例えば、鋼板で構成して引出部分を案内するためのレールＲ３から張り出した張出部分Ｕ２にして設けてある。
【００４１】
なお、上記の支点ｐ１は、例えば、張出部分Ｕ２の下端側に設けた軸受穴ｐ１１と、扉８１Ｂｘの背面側に設けた軸受穴ｐ１２とに、支点用の軸ｐ１３を通して構成してある。
【００４２】
さらに、前傾開き動作を行った際には、図２の〔前傾開き状態〕のように、移動側の制止部分Ｔ１の奥側の先端に設けた上曲部分Ｖ１の上面が、側面側の壁部９０Ａに固定されたローラＲ２の下面に引っ掛けられて、引出動作を制止するように構成した引止機構８１Ｓを設けてある。
【００４３】
したがって、前傾開き動作を行った際には、引止機構８１Ｓによって引出部分ＤＷ１が引き止められて、扉８１Ｂｘの下側が開かないように保持された状態になる。
【００４４】
しかし、使用者の都合により、この状態からでも、引出部分ＤＷ１を更に引き出して、物品を奥の大箱８１ｂ２に物品を出し入れたい場合もあり得る。こうした場合には、多少、力を入れてハンドルを無理に引くと、引止機構８１Ｓの上曲部分Ｖ１がローラＲ２から外されて、引出部分ＤＷ１を前に引き出すことができるようになる。
【００４５】
なお、上曲部分Ｖ１がローラＲ２から外される際には、前傾開きしている角度θ１が、一旦、僅かに小さくなった後に、元の角度θ１に戻るように扉８１Ｂｘが振動するが、この振動量はごく小さいので、貯蔵している物品に対する影響は殆どない。
【００４６】
第４には、扉８１Ｂｘの背面側に添わせて、扉８１Ｂｘが上記の前傾開き動作によって開扉される距離Ｌ１よりも小さい奥行Ｄ３の小箱８１ｂ１を設けた箇所である。
【００４７】
そして、扉８１Ｂｘの前傾開き動作により、扉８１Ｂｘとともに小箱８１ｂ１を前傾させることによって、前傾開きによって開口した上方側から小箱８１ｂ１に物品の出し入れができるように構成したものである。
さらに、必要に応じて、図１の〔ハ−ハ断面〕のように、小箱８１ｂ１の上方側に下向きの溝部分ｎを設けるとともに、この溝部分ｎに入れ込むための差込片ｉを扉８１Ｂｘの背面側に固定することにより、小箱８１ｂ１を上方に引き抜いて取り外せるように構成することができる。
【００４８】
つまり、この第１実施例の構成は、概括的には、上記のような物品を貯蔵するための引出型の貯蔵室、例えば、貯蔵室８１Ｂを有する物品貯蔵庫１００において、第１には、
上記の貯蔵室、例えば、貯蔵室８１Ｂの前蓋部分８１Ｂ１を前傾開き動作が可能な扉８１Ｂｘで構成するとともに、上記の前傾開き動作の操作部分ｗ１を上記の扉８１Ｂｘに設けたハンドル、例えば、グリップハンドル８１ｇ２または引っ掛けハンドル８１ｈ２に配置する前傾開き操作手段を設けた上記の第１の構成を構成していることになるものである。
【００４９】
第２には、上記の第１の構成に加えて、
上記の扉８１Ｂｘの背面の下方側に支点ｐ１を配置するとともに、この支点ｐ１よりも上方に配置したロック機構８１Ｋのロックを上記の操作部分ｗ１により解除して上記の前傾開き動作を行わせる前傾ロック解除手段を設けた上記の第２の構成を構成していることになるものである。
【００５０】
第３には、上記の第１の構成・第２の構成において、
上記の前傾開き動作によって開扉される距離Ｌ１よりも小さい奥行Ｄ３の小箱８１ｂ１を上記の扉８１Ｂｘの背面に設けた上記の第３の構成を構成していることになるものものである。
【００５１】
第４の構成は、上記の第１の構成〜第３の構成において、
上記の操作部分ｗ１を上記のハンドル、例えば、グリップハンドル８１ｇ２または引っ掛けハンドル８１ｈ２の左右中央位置ｓ１に配置した上記の第４の構成を構成していることになるものである。
【００５２】
したがって、この上記の第１の構成〜第４の構成によれば、例えば、貯蔵室８１Ｂのような引出型の貯蔵室の前蓋部分８１Ｂ１を前傾開き動作できる扉８１Ｂｘに構成しているため、冷却機能または加温機能を設けた物品貯蔵庫１００では、前傾開き動作によって、扉８１Ｂｘの下方側が閉じられた状態で、上方側から物品を出し入れできるので、下方側からの外気の流通を阻止でき、従来のような外気による加温や冷却を極度に低減なし得るという効果が得られる。
【００５３】
また、物品をそのまま貯蔵する物品貯蔵庫１００では、頻繁に出し入れする小物を扉８１Ｂｘの背面側に設けた小箱８１ｂ１に貯蔵することにより、引出部分ＤＷ１全体を引き出さずに小物の出し入れが行えるので、奥の大箱８１ｂ２に重い物品を貯蔵している場合でも、それに無関係に、簡単な前傾開きを行うだけで済ませることができるという効果が得られる。
【００５４】
そして、前傾開き動作のためのロック機構８１Ｋのロックを解除するための操作部分ｗ１をハンドル、例えば、グリップハンドル８１ｇ２または引っ掛けハンドル８１ｈ２に設けているため、引出動作と前傾開き動作とを同一の部分で操作できるので、使用者が操作を簡便に行えるという効果が得られる。
【００５５】
さらに、上記の操作部分ｗ１の配置をハンドル、例えば、グリップハンドル８１ｇ２または引っ掛けハンドル８１ｈ２の左右中央位置ｓ１に配置しているので、物品貯蔵庫１００の左右いずれ側からでも、物品貯蔵庫１００の左右が囲まれたような狭い場所でも無理な姿勢をすることなく容易に引出動作と前傾開き動作との操作を行えるという効果が得られる。
【００５６】
〔第２実施例〕
以下、図３により第２実施例を説明する。この第２実施例の構成は上記の第１実施例におけるロック機構８１Ｋと操作部分ｗ１とを機械的な機構で行う場合の具体的な構成の実施例である。なお、左側の構成部分は記載を省略してあるが、右側の部分と対称な構造になっている。また、図３には、小箱８１ｂ１の部分を省略してある。
【００５７】
図３において、操作部分ｗ１は、例えば、四角棒状の押しボタンで構成してあり、グリップハンドル８１ｇ２の左右中央位置ｓ１に設けたグリップハンドル８１ｇ２と扉８１Ｂｘとの間を橋絡した橋絡部分Ｂｒを貫通して、扉８１Ｂｘの中に設けた空洞部分ｒ１内のカム機構Ｋ２０と連結または一体に形成してある。
【００５８】
カム機構Ｋ２０には、左右対称の傾斜面によるカム面Ｋ２０ａを設けてあり、カム面Ｋ２０ａと接して移動する円柱状の移動子Ｋ２１に牽引リードＫ２２の一端側をかしめ付けなどにより固定してある。なお、カム機構Ｋ２０のカム面Ｋ２０ａ側を、例えば、テフロン（登録商標）系の合成樹脂材で形成し、移動子Ｋ２１を、例えば、ステンレス鋼材で形成することにより、移動子Ｋ２１の滑り移動を容易にしている。
【００５９】
牽引リードＫ２２は、例えば、細い鋼索、または、ポリアミド樹脂材の捩り合わせ糸、すなわち、商品名ではナイロン捩り糸とい言われているものなど形成してあり、保護管Ｋ２３で覆ってある。保護管２３は、例えば、螺旋状の鋼線による管状体または鋼線の編み組による管状体を合成樹脂材で被覆したもの、すなわち、合成樹脂被覆管で構成してある。
【００６０】
保護管Ｋ２３の一端側は空洞箱部分ｒ１の壁部に嵌め込み、他端側はロック機構８１Ｋの枠体Ｋ２７に嵌め込んで保持している。また、牽引リードＫ２２の他端側は、抗圧縮性のコイルばねＫ２４の中を通して、移動子Ｋ２５の中に配置した終端子Ｋ２６にかしめ付けなどにより固定してある。
【００６１】
掛け爪Ｋ１は移動子Ｋ２５にかしめ止めなどにより固定するとともに、扉８１Ｂｘの背面側にねじ止めなどにより固定した枠体Ｋ２７の案内筒部分Ｋ２８の中を滑動するように構成してある。移動子Ｋ２５は枠体Ｋ２７の案内筒部分Ｋ２９の中を滑動するとともに、段付部分Ｋ３０で移動を制止することにより、掛け爪Ｋ１の移動を制限している。
【００６２】
したがって、操作部分ｗ１の押しボタンを押すと、カム面Ｋ２０ａの傾斜によって、移動子Ｋ２１がコイルばねＫ２４に抗して右方向に移動するため、牽引リードＫ２２が同様に移動するので、ロック機構８１Ｋの掛け爪Ｋ１が右側に移動して掛け穴Ｋ２から引き抜かれ、ロックが解除されて扉８１Ｂｘが前傾開き動作を行える状態になる。
【００６３】
そして、前傾開き状態から、扉８１Ｂｘを前傾開き状態から前傾開きを閉じる動作、すならち、角度θ１を０°になるように回転する動作を行うと、掛け爪Ｋ１の背面側の傾斜面Ｋ１ａが掛け穴Ｋ２の外郭部分Ｋ２ａの抵抗力によって押し込められた後に掛け穴Ｋ２に入れ込まれて前傾開きを閉じた状態に保持されることになる。
【００６４】
〔第３実施例〕
以下、図４により第３実施例を説明する。この第３実施例の構成が上記の第２実施例と異なる箇所は次の箇所である。
【００６５】
第１には、カム機構Ｋ２１・牽引リードＫ２２に代えて、電気的にロック解除を行うための電気スイッチ機構Ｅ３１を空洞箱部分ｒ１内に設けるとともに、電気配線Ｅ３２を電気スイッチ機構Ｅ３１と後記の電気的アクチェータＥ３３に接続配線した箇所である。
【００６６】
なお、電気スイッチ機構Ｅ３１は、例えば、マイクロスイッチであって、右側の電気的アクチェータＥ３３用のものと、左側の電気的アクチェータＥ３３用のものとが上下に重ねて配置してある。なお、冷却や加温を制御する制御部を設けた物品貯蔵庫１００の場合には、電気スイッチ機構Ｅ３１をタッチキー型のスイッチまたはタッチセンサーなどの微小電力スイッチにしておき、その微小電力のスイッチ出力にもとづいて制御部が所要の電力を電気的アクチェータＥ３３に与えるように構成してもよい。
【００６７】
電気的アクチェータＥ３３は、例えば、電磁石Ｅ３３ａに電流が与えられたときに磁性材の移動子Ｅ３３ｂを電磁石Ｅ３３ａ内に引き込むように構成した電磁プランジャーで構成してある。
【００６８】
そして、扉８１Ｂｘの背面側にねじ止めなどにより固定した枠体Ｋ４１に電気的アクチェータＥ３３を固定するとともに、移動子Ｅ３３ｂの先端に掛け爪Ｋ１をねじ止めなどにより固定してある。
【００６９】
また、掛け爪Ｋ１を枠体Ｋ４１の案内筒部分Ｋ４１ａに案内させて抗圧縮性のコイルばねＫ４２に抗しながら移動させるとともに、移動子Ｅ３３ｂの段付部分Ｅ３３ｂ１を枠体Ｋ４１の段付部分Ｋ４１ｂで制止することにより掛け爪Ｋ１の移動限度を規定している。
【００７０】
したがって、操作部分ｗ１の押しボタンを押すと、電気的スイッチ機構Ｅ３１により電源部分（図示せず）に電気的アクチェータＥ３３が接続されて移動子Ｅ３３ｂがコイルばねＥ４２に抗して右方向に移動するため、ロック機構８１Ｋの掛け爪Ｋ１が右側に移動して掛け穴Ｋ２から引き抜かれるので、ロックが解除されて扉８１Ｂｘが前傾開き動作を行える状態になる。
【００７１】
そして、前傾開き状態から、扉８１Ｂｘを前傾開き状態から前傾開きを閉じる動作、すなわち、角度θ１を０°になるように回転する動作を行うと、掛け爪Ｋ１の背面側の傾斜面Ｋ１ａが掛け穴Ｋ２の外郭部分Ｋ２ａの抵抗力によって押し込められた後に掛け穴Ｋ２に入れ込まれて前傾開きを閉じた状態に保持されることになる。
【００７２】
以上のように、上記の第２実施例の構成または上記の第３実施例の構成によってロック機構８１Ｋのロックを解除することができるものである。
つまり、上記の第２実施例の構成・第３実施例の構成は、概括的には、上記の第１の構成〜第４の構成において、
上記のロック機構８１Ｋの解除を機械的な解除構成、例えば、第２実施例の構成、または、電気的な解除構成、例えば、第３実施例の構成によって行う上記の第５の構成を構成していることになのものである。
【００７３】
したがって、上記の第５の構成によれば、物品の冷却または加温を電気的に行って貯蔵する貯蔵室を有する物品貯蔵庫１００の場合には、機械的または電気的いずれかのロック解除を用いて構成し、物品をそのまま貯蔵する冷蔵室による物品貯蔵庫１００の場合には、機械的なロック解除を用いて構成することができるので、物品貯蔵庫１００の提供を汎用化することができるという効果が得られることになる。
【００７４】
なお、引っ掛けハンドル８１ｈ２の場合にも、図３・図４の構成と同様に橋絡部分Ｂｒを設けて、操作部分ｗ１を配置すれば、グリップハンドル８１ｇ２の場合と全く同様に構成できることは言うまでもない。
【００７５】
〔変形実施〕
この発明は次のように変形して実施することを含むものである。
（１）ロック機構８１Ｋを、他のロック構成、例えば、図３の〔ロック機構／変形構成〕のように、掛け爪Ｋ１と掛け穴Ｋ２とに代えて、２つのＬ字形の掛け爪Ｋｘ・Ｋｙを対向させて配置し、一方のＬ字形の掛け爪Ｋｘを抗圧縮性のコイルばねＫｚに抗して移動させる構成などに変更して構成する。
【００７６】
（２）単一の貯蔵室を設けた物品貯蔵庫１００に上記の前傾開き動作を行う構成を適用して構成する。
（３）複数の貯蔵室を設けた物品貯蔵庫１００の１つの貯蔵室または任意の複数の貯蔵室に上記の前傾開き動作を行う構成を適用して構成する。
【００７７】
【発明の効果】
この発明によれば、以上のように、引出型の貯蔵室の前蓋部分を前傾開き動作が可能な扉で構成いるため、冷却機能または加温機能を設けた物品貯蔵庫では、前傾開き動作によって、扉の下方側が閉じられた状態で、上方側から物品を出し入れできるので、下方側からの外気の流通を阻止でき、外気による加温や冷却を極度に低減なし得る。
【００７８】
また、物品をそのまま貯蔵する物品貯蔵庫では、頻繁に出し入れする小物を前傾開き可能な扉の背面側に設けた小箱に貯蔵することにより、引出部分全体を引き出さずに小物の出し入れが行えるので、奥の大箱に重い物品を貯蔵している場合でも、それには無関係に、簡単な前傾開きを行うだけで済ませることができる。
【００７９】
さらに、前傾開き動作を行うロック解除の操作部分をハンドルに配置しているため、引出動作と前傾開き動作とを同一の部分で操作できるので、使用者が操作を簡便に行え、また、その配置をハンドルの左右中央位置に配置したものでは、物品貯蔵庫の左右いずれ側からでも、物品貯蔵庫の左右が囲まれたような狭い場所でも無理な姿勢をすることなく容易に引出動作と前傾開き動作との操作を行える。
【００８０】
また、前傾開き動作のためのロック解除を機械的な解除動作または電気的な解除動作のいずれかを用いて構成できるので、物品貯蔵庫の提供を汎用化することができるなどの特長が得られるという効果がある。
【図面の簡単な説明】
図面中、図１〜図４はこの発明の実施例を、図５〜図９は従来技術を示し、各図の内容は次のとおりである。
【図１】全体構成外観斜視・要部縦断側面図
【図２】要部構成縦断側面図
【図３】要部構成横断平面図
【図４】要部構成横断平面図
【図５】全体構成外観斜視図
【図６】全体縦断側面図
【図７】要部構成縦断側面図
【図８】全体構成縦断側面図
【図９】全体構成外観斜視・要部縦断側面図
【符号の説明】
２１  冷却器
２２  冷却器
６１  送風機
６２  送風機
８１Ａ  貯蔵室
８１Ａ１  開閉扉
８１Ｂ  貯蔵室
８１Ｂ１  前蓋
８１Ｂｘ  扉
８１Ｋ  ロック機構
８１Ｓ  引止機構
８１Ｔ  倒れ止め機構
８１ｂ１  小箱
８１ｂ２  大箱
８２Ａ  貯蔵室
８２Ａ１  前蓋
８２Ｂ  貯蔵室
８２Ｂ１  前蓋
８１ｇ１  グリップハンドル
８１ｇ２  グリップハンドル
８２ｇ１  グリップハンドル
８２ｇ２  グリップハンドル
８１ｈ１  引っ掛けハンドル
８１ｈ２  引っ掛けハンドル
８２ｈ１  引っ掛けハンドル
８２ｈ２  引っ掛けハンドル
９０  本体（断熱外箱）
９０Ａ  側面側壁部
９１  仕切壁部分
９１Ａ  仕切壁部分
９２Ａ  仕切壁部分
１００  物品貯蔵庫
Ｂ１  幅
Ｂｒ  橋絡部分
Ｄ１  奥行
Ｄ２  奥行
Ｄ３  奥行
ＤＷ１  引出部分
Ｅ３１  電気スイッチ機構
Ｅ３２  電気配線
Ｅ３３  電気的アクチェータ
Ｅ３３ａ  電磁石
Ｅ３３ｂ  移動子
Ｅ３３ｂ１  段付部分
ｉ  差込片
Ｋ１  掛け爪
Ｋ１ａ  背面側傾斜面
Ｋ２  掛け穴
Ｋ２ａ  外郭部分
Ｋ２０  カム機構
Ｋ２０ａ  カム面
Ｋ２１  移動子
Ｋ２２  牽引リード
Ｋ２３  保護管
Ｋ２４  コイルばね
Ｋ２５  移動子
Ｋ２６  終端子
Ｋ２７  枠体
Ｋ２８  案内筒部分
Ｋ２９  案内筒部分
Ｋ３０  段付部分
Ｋｘ  掛け爪
Ｋｙ  掛け爪
Ｋｚ  コイルばね
Ｋ４１  枠体
Ｋ４１ａ  案内筒部分
Ｋ４１ｂ  段付部分
Ｋ４２  コイルばね
Ｌ１  距離
ｍ１  前傾開き方向
ｎ  溝部分
ｐ１  支点
ｐ１１  軸受穴
ｐ１２  軸受穴
ｐ１３  軸
Ｒ１  レール溝
Ｒ２  ローラ
Ｒ３  レール
Ｒ４  ローラ
ｒ１  空洞部分
ｓ１  左右中央位置
Ｔ１  移動側制止部分
Ｔ２  静止側制止部分
Ｕ１  張出部分
Ｕ２  張出部分
Ｕ３  張出部分
Ｖ１  上曲部分
ｗ１  操作部分
θ１  角度
【図１】
2004323043.tif 000003
【図２】
2004323043.tif 000004
【図３】
2004323043.tif 000005
【図４】
2004323043.tif 000006
【図５】
2004323043.tif 000007
【図６】
2004323043.tif 000008
【図７】
2004323043.tif 000009
【図８】
2004323043.tif 000010
【図９】
2004323043.tif 000011